(57)【特許請求の範囲】
【請求項１】
上ケース（１）上部に傾斜する凹面（１ａ）を下部に有する凹形状の空間（１４）を開設し、その空間（１４）の上部に開閉接点（８ｂ）を有するスイッチ（８）を設け、そのスイッチ（８）を押し圧するように前記空間（１４）内に可動片（７）と球（３）を収納し、球（３）を載置するシャフト（２）を空間（１４）内に出没自在に設け、そのシャフト（２）の外周に連動するように押しボタン（１０）を下ケース（１２）内に設け、その下ケース（１２）を上ケース（１）下部に連結した転倒安全スイッチであって、前記上ケース（１）が正立している時、押しボタン（１０）を押し上げると、シャフト（２）の上部に載置された球（３）が可動片（７）を押し上げてスイッチ（８）をＯＮし、前記上ケース（１）が傾斜あるいは横転した時、傾斜する凹面（１ａ）と上部に形成する円筒形の空間（１４）の一側面に球が保持され、押しボタン（１０）を押し上げて空間（１４）内にシャフト（２）の先端部が最大限出っ張った状態でも、可動片（７）がスイッチ（８）をＯＮしないことを特徴とする転倒安全スイッチ。
【請求項２】
凹面（１ａ）の傾斜する面部に球（３）の半径よりも小さい高さのリブ（１ｃ）を備えたことを特徴とする請求項１記載の転倒安全スイッチ。
【発明の詳細な説明】
【０００１】
【産業上の利用分野】
本発明は、電気ストーブ、電気温風機等の転倒安全スイッチに関するものである。
【０００２】
【従来の技術】
従来の技術としては、器体下面より外部に突出した押しボタンと、押しボタンに直接連動するスイッチとを備え、器体の正立時には器体の自重により前記押しボタンが床面に押されてスイッチをＯＮとし、転倒時にはバネにより押しボタンが戻り、器体下面より突出した形となってスイッチをＯＦＦとする構造などがある。（例えば実開昭５７−１７６０３５号公報）
【０００３】
【発明が解決しようとする課題】
上記の器体下面より外部に突出した押しボタンを備えた構造では阪神大震災クラスの大地震のとき、転倒した器体の前記押しボタンを他の重量物が抑えつける形となってスイッチをＯＮとし、火災の原因となったりする。
【０００４】
【課題を解決するための手段】
本発明は上記課題を解決するためになされたものであり、下記の構成とした。
【０００５】
すなわち、上ケース上部に傾斜する凹面を下部に有する凹形状の空間を開設し、その空間の上部に開閉接点を有するスイッチを設け、そのスイッチを押し圧するように前記空間内に可動片と球を収納し、球を載置するシャフトを空間内に出没自在に設け、そのシャフトの外周に連動するように押しボタンを下ケース内に設け、その下ケースを上ケース下部に連結した転倒安全スイッチであって、前記上ケースが正立している時、押しボタンを押し上げると、シャフトの上部に載置された球が可動片を押し上げてスイッチをＯＮし、前記上ケースが傾斜あるいは横転した時、傾斜する凹面と上部に形成する円筒形の空間の一側面に球が保持され、押しボタンを押し上げて空間内にシャフトの先端部が最大限出っ張った状態でも、可動片がスイッチをＯＮしないものとした。
【０００６】
また、凹面の傾斜する面部に球の半径よりも小さい高さのリブを備えたものとした。
【００１２】
【作用】
上記構成により大地震のとき、転倒した電気ストーブ等の前記押しボタンを他の重量物が抑えつけたとしても器体が傾斜あるいは転倒していれば転倒安全スイッチがＯＮとなることがないので、少なくとも上記の状況で火災の原因となることがない。
【００１３】
【実施例】
以下本発明の一実施例を示す図１〜図６を用いて説明する。
【００１４】
図１において１は最凹部に貫通孔をもつ凹面１ａおよび円筒形の壁１ｂにより構成される上ケースであり、前記貫通孔は円筒形に下方に伸びており、２は前記貫通孔を貫通する長手方向に可動自在なシャフトであり、上部に凹部を備え、凹部上に球３を載せられるようになっている。
【００１５】
シャフト２はコイルバネ４によって下方に押し下げられており、コイルバネ４はシャフト２に固定されたワッシャ５およびプッシュナット６により下端を固定されている。シャフト２は上部の段差２ａにより上ケース１から下方へ抜けない構造となっている。
【００１６】
球３の上方には可動片７があり円筒形の壁１ｂに沿って上下方向に可動であり姿勢をかえずに上下方向に可動とするためにガイド７ａが円筒形の壁１ｂに設けた溝に沿って動く構造となっている。
【００１７】
また可動片７と凹面１ａ、円筒形の壁１ｂにより空間１４を仕切って球３が外部へ出ないようにしている。
【００１８】
また凹面１ａ上にリブ１ｃが２ヶ所設けられている。可動片７の上方に板バネ８ａと接点８ｂと基板とにより成るスイッチ８があり止めネジ９により上ケースに固定されている。可動片７は板バネ８ａにより下方に押し下げられている。シャフト２をおおうような形で押しボタン１０があり、押しボタン１０の内部には押しボタン１０下部からの荷重をシャフト２の下部に伝えるためのコイルバネ１１がある。コイルバネ１１は押しボタン１０下部からの荷重を直接スイッチ８に加えないための緩衝の役割をするものである。押しボタン１０が下方に抜けないために下ケース１２があり、止めネジ１３で上ケース１に固定されている。
【００１９】
図６において、１５は電気ストーブ本体であり、１６は本発明であるところの上記構成による転倒安全スイッチである。
【００２０】
前記押しボタン１０部が本体１５脚部よりも下方へ出ており、電気ストーブ本体１５が正立したまま床面に設置されれば、前記押しボタン１０部が押され、転倒した場合には押しボタン１０部はバネにより元に戻り本体１５脚部よりも突き出た形となる。
【００２１】
次に本実施例の作用について説明する。
【００２２】
図２、図３、図４、図５において、図２は本体の上ケース１、下ケース１２が正立し押しボタン１０に荷重が加わらない状態である。コイルバネ４によりシャフト２は下方へ押し下げられて、球３は本体が図２の姿勢をとる限り重力によりシャフト２上部の凹部に載った状態となる。
【００２３】
また、可動片７は下方に位置しスイッチ８は開いた状態でＯＦＦとなっている。図３は本体の上ケース１、下ケース１２が正立し押しボタン１０を押し上げた状態を示し、図６のように例えば電気ストーブに組み込んだときには電気ストーブの本体１５は正立し床面に設置され床面が押しボタン１０を押し上げた状態であり、通常の使用の状態である。押しボタン１０を押し上げることでコイルバネ１１を押し上げ、コイルバネ１１はワッシャ５およびシャフト２を押し上げている。シャフト２の上部に球３が載っており球３の上部が可動片７を押し上げスイッチ８を閉じてＯＮの状態となる。
【００２４】
図４は本体の上ケース１、下ケース１２が傾斜あるいは転倒しほぼ水平になった状態であるがここでは説明のため垂直にて図示する。
【００２５】
電気ストーブに組み込んだときには電気ストーブは転倒し押しボタン１０は床面から離れ、コイルバネ４によりシャフト２が下方へ押し下げられる。但し本体はほぼ水平となっているため、球３は重力によりシャフト２の上部を離れ、上ケース１の円筒形の壁面１ｂにころがる。可動片７は下方に位置しスイッチ８は開いた状態でＯＦＦとなる。
【００２６】
図５は本体が転倒しほぼ水平になった状態において押しボタン１０を押し上げた状態である。
【００２７】
電気ストーブに組み込んだときには電気ストーブは転倒し押しボタン１０は床面から離れたが、何らかの重量物等が移動し強制的に押しボタン１０を押し上げた状態を示す。押しボタン１０を押し上げることでコイルバネ１１を押し上げコイルバネ１１はワッシャ５およびシャフト２を押し上げているが、球３は重力により上ケース１の円筒形の壁面１ｂにころがるので可動片７に荷重が伝わらず可動片７は下方に位置しスイッチ８は開いた状態のままでＯＦＦとなる。
【００２８】
また、上記の部品の動きにおいて可動片７の円板の外周にガイドする凸部７ａを３個とガイドする凸部７ａに沿う溝を円筒形の壁面１ｂに設けることで可動片７が姿勢を変えることなく球３およびスイッチ８の板バネ８ａとの接触を確実なものにしている。
【００２９】
また上ケース１の凹面１ａ上のリブ１ｃにより本体が左右に揺れたときに球３が凹面１ａの外周上を円運動するのを防げ正立時に球３がすばやくシャフト２の上部の凹部上に移動する。
【００３０】
【発明の効果】
以上、本発明によれば、上ケース上部に凹形状の空間を開設し、その空間を塞ぐように開閉接点を有するスイッチを設け、そのスイッチを押し圧するように前記空間内に可動片と球を収納し、球を載置するシャフトを空間内に出没自在に設け、そのシャフトの外周に連動するように押しボタンを下ケース内に設け、その下ケースを上ケース下部に連結した構成とし、更に、前記上ケースが傾斜あるいは横転した時に、傾斜する前記凹面と凹面の上部に形成する円筒形なる壁に位置する可動片の底面とで構成してなる凹形状の空間の一側面に球が保持され、その空間内に前記シャフトの先端部が最大限出っ張った時、可動片がスイッチをＯＮしない構成としたことにより、転倒安全スイッチを備えた電気ストーブ等が転倒し、他の重量物等が転倒安全スイッチの押しボタンを抑えつけたとしても本体が転倒した姿勢であれば球がシャフト上よりころがり出すことにより押しボタンの荷重がスイッチに伝わることなくスイッチはＯＦＦのままとなり、少なくとも上記の状態で火災の原因となることがない。
また、上ケースの凹面上のリブにより上ケースが左右に揺れたときに球が凹面の外周上を円運動するのを防げ、正立時に球がすばやくシャフトの上部の凹部上に移動することができる。
【図面の簡単な説明】
【図１】本発明の一実施例を示す転倒安全スイッチの正面断面図である。
【図２】本発明の一実施例を示す転倒安全スイッチの正面断面図である。
【図３】同じく通常使用時を示す断面図である。
【図４】同じく転倒時を示す断面図である。
【図５】同じく転倒時押しボタンが押された状態を示す断面図である。
【図６】本発明の転倒安全スイッチを電気ストーブに組み込んだ時の概略正面図である。
【符号の説明】
１  上ケース
１ａ  凹面
１ｂ  円筒形の壁
１ｃ  リブ
２  シャフト
３  球
７ａ  凸部
８  スイッチ
８ｂ  接点
１０  押しボタン
１２  下ケース
【図１】
0003571416.tif 000002
【図２】
0003571416.tif 000003
【図３】
0003571416.tif 000004
【図４】
0003571416.tif 000005
【図５】
0003571416.tif 000006
【図６】
0003571416.tif 000007